(57)【要約】【課題】  実施の形態は、電気部品の接触不良を起こすおそれがなく、常時振動がかかる機材においても使用することができる保護カバーによるねじの脱落防止装置を提供することが課題である。【解決手段】  実施形態の保護カバーによるねじの脱落防止装置は、電気部品間をバスバーで配線して接続する器具本体２におけるバスバーの露出面２Ｂに着脱可能に装着される保護カバー１を有し、バスバーのそれぞれの接続部は電極を兼ねるねじｓによって固定される機材で使用される。保護カバー１におけるバスバーとの対向部分に突設され、保護カバー１が器具本体２に装着された状態で、バスバーのねじｓによる固定部分に近接し、ねじｓが当接可能な位置に配置されたねじの脱落防止用の当接部を有する第１突起部１０ａ〜第１０突起部１０ｊを設けた。【選択図】図１
2017110726.tif 000002
【特許請求の範囲】
【請求項１】
電気部品間をバスバーで配線して接続する器具本体における前記バスバーの露出面に着脱可能に装着される保護カバーを有し、
前記バスバーのそれぞれの接続部は電極を兼ねるねじによって固定される電気機器で使用され、
前記保護カバーにおける前記バスバーとの対向部分に突設され、前記保護カバーが前記器具本体に装着された状態で、前記バスバーの前記ねじによる固定部分に近接し、前記ねじが当接可能な位置に配置されたねじの脱落防止用の当接部を有する突起部を設けたことを特徴とする電気機器のねじの脱落防止装置。
【請求項２】
前記保護カバーは、前記突起部と前記ねじとの間の隙間を前記ねじが前記固定部分から脱落することが不可能な寸法に前記突起部の高さ寸法が設定されていることを特徴とする請求項１に記載の電気機器のねじの脱落防止装置。
【請求項３】
前記バスバーは、配線の形状が複雑で立体的な構造に形成され、
前記保護カバーは、前記バスバーの配線の形状に合わせて前記突起部の形状が決められていることを特徴とする請求項１に記載の電気機器のねじの脱落防止装置。
【請求項４】
前記保護カバーは、前記ねじの固定時の高さがほぼ同じ高さになる複数の前記ねじを同じグループに集めた状態で一緒に固定するブロック形状の前記突起部のブロック体を有することを特徴とする請求項１に記載の電気機器のねじの脱落防止装置。
【発明の詳細な説明】
【技術分野】
【０００１】
本発明の実施形態は、電気機器のねじの脱落防止装置に関する。
【背景技術】
【０００２】
一般に、電気機器の筐体内の限られた空間内で電気部品間を接続する場合、接続経路に流れる電流が大きいと使用する電線径が太くなるため、電線を用いた配線が困難となる。その場合、バスバーを用いて配線を行うのが一般的である。さらに、電気機器の筐体は、器具本体におけるバスバーの露出面に保護カバーが着脱可能に装着される。この保護カバーにより、バスバーの露出面の絶縁保護を行う構成になっている。
【先行技術文献】
【特許文献】
【０００３】
【特許文献１】特開平７−３１０７２５号公報
【特許文献２】特開２０１２−１１４０９８号公報
【発明の概要】
【発明が解決しようとする課題】
【０００４】
電気機器の筐体内の限られた空間内でバスバーを用いて配線を行う場合、筐体内の部品配置などの制約から電気部品間の接続経路が入り組み、バスバーの形状が複雑で立体的な構造になることが多い。バスバーと電気部品との間のそれぞれの接続は、ねじ固定にて行われている。バスバーの固定ねじは、ねじ自体が電極を兼ねている。そのため、一般的にねじの緩み防止や脱落防止の目的で使用されるねじ封着剤は、電気部品の接触不良を起こす可能性があるため使用することはできない。
【０００５】
ねじの緩み防止は、スプリングワッシャを挿入することにより対処可能であるが、常時振動がかかる機材においては、ねじの脱落防止の観点から更なる対策が必要となっている。
【０００６】
実施形態は、上記事情を考慮してなされたもので、電気部品の接触不良を起こすおそれがなく、常時振動がかかる機材においても使用することができる電気機器のねじの脱落防止装置を提供することが課題である。
【課題を解決するための手段】
【０００７】
実施形態の電気機器のねじの脱落防止装置は、電気部品間をバスバーで配線して接続する器具本体における前記バスバーの露出面に着脱可能に装着される保護カバーを有し、前記バスバーのそれぞれの接続部は電極を兼ねるねじによって固定される電気機器で使用される。前記保護カバーにおける前記バスバーとの対向部分に突設され、前記保護カバーが前記器具本体に装着された状態で、前記バスバーの前記ねじによる固定部分に近接し、前記ねじが当接可能な位置に配置されたねじの脱落防止用の当接部を有する突起部を設けた。
【図面の簡単な説明】
【０００８】
【図１】図１は、第１の実施の形態の電気機器のねじの脱落防止装置で使用される保護カバーの裏面を示す斜視図である。
【図２】図２は、第１の実施の形態の電気機器のねじの脱落防止装置において器具本体に保護カバーが装着された状態を示す側面図である。
【図３】図３は、第１の実施の形態の電気機器のねじの脱落防止装置で使用される器具本体の電気回路ユニットの一例におけるバスバーの配置状態を概略的に示す平面図である。
【図４】図４は、第１の実施の形態の保護カバーの表面を示す平面図である。
【図５】図５は、第１の実施の形態の保護カバーの側面図である。
【図６】図６は、第１の実施の形態の保護カバーの裏面の突起部の配置状態を示す平面図である。
【図７】図７は、図６のＶＩＩ−ＶＩＩ線断面図である。
【図８】図８は、第１の実施の形態の電気機器のねじの脱落防止装置の要部の縦断面図である。
【発明を実施するための形態】
【０００９】
図１乃至図８は、第１の実施の形態を示す。図１は、第１の実施の形態の電気機器のねじの脱落防止装置で使用される保護カバー１の裏面を示す斜視図である。図２は、第１の実施の形態の電気機器のねじの脱落防止装置において電気機器の器具本体２に絶縁材料で形成された保護カバー１が装着された状態を示す側面図である。
【００１０】
本実施形態のねじの脱落防止装置が適用される電気機器の器具本体２は、例えば、図示しない複数の電気又は電子部品が搭載されている回路基板が、複数のバスバー（第１バスバー３ａ、第２バスバー３ｂ、第３バスバー３ｃ、第４バスバー３ｄ）（図３参照）により複数の電気又は電子部品と所定の配線で電気的に接続されている。なお、本実施形態の器具本体２は、複数のバスバー３ａ〜３ｄを交差させるなどの複雑な配置を出来る限り簡素にする為に複数のバスバー中継端子４が使用されている。
【００１１】
図３は、第１の実施の形態の電気機器のねじの脱落防止装置が適用される器具本体２の電気回路ユニット２Ａの一例における複数のバスバー３ａ〜３ｄの配置状態を概略的に示す平面図である。図３では、器具本体２の保護カバー１は、省略されている。また、図３には、３つのバスバー中継端子（第１のバスバー中継端子４ａ、第２のバスバー中継端子４ｂ、第３のバスバー中継端子４ｃ）が示されている。
【００１２】
第１のバスバー中継端子４ａは、導電性の帯状の板を含み、電気回路ユニット２Ａの図示しない少なくとも１つの回路基板の１つの電気又は電子部品からの第１バスバー３ａの延出端と電気的に接続する為の第１の接続部４ａ１と、図示しない外部の複数の電気又は電子部品からの第１乃至第３の外部接続バスバー５ａ，５ｂ，５ｃの延出端と電気的に接続する為の第２乃至第４の接続部４ａ２，４ａ３，４ａ４と、を有している。
【００１３】
第２のバスバー中継端子４ｂは、導電性の帯状の板を含む。そして、図３中では、第２のバスバー中継端子４ｂは、電気回路ユニット２Ａの図示しない少なくとも１つの回路基板の１つの電気又は電子部品からの第２バスバー３ｂの延出端と電気的に接続する為の第１の接続部４ｂ１と、図示しない外部の複数の電気又は電子部品からの第４乃至第９の外部接続バスバー５ｄ，５ｅ，５ｆ，５ｇ，５ｈ，５ｉの延出端と電気的に接続する為の第２乃至第７の接続部４ｂ２，４ｂ３，４ｂ４，４ｂ５，４ｂ６，４ｂ７と、を有している。
【００１４】
第３のバスバー中継端子４ｃは、電気回路ユニット２Ａの図示しない少なくとも１つの回路基板の少なくとも１つの電気又は電子部品からの第３バスバー３ｃの延出端及び第４バスバー３ｄの延出端と電気的に接続する為の第１の接続部４ｄ１及び第２の接続部４ｄ２を有している。第３のバスバー中継端子４ｃはさらに、図示しない外部の複数の電気又は電子部品からの第１０乃至第１２の外部接続バスバー５ｒ，５ｓ，５ｔの延出端と電気的に接続する為の第３乃至第５の接続部４ｄ３，４ｄ４，４ｄ５と、を有している。
【００１５】
本実施形態の電気機器の器具本体２は、図３に示すように器具本体２の一部（図３中でほぼ下半分）に複数のバスバー３ａ〜３ｄおよび複数の外部接続バスバー５ａ，５ｂ，５ｃ、５ｄ，５ｅ，５ｆ，５ｇ，５ｈ，５ｉ、５ｒ，５ｓ，５ｔなどが露出されるバスバー露出面２Ｂが配置されている。図２に示すようにこのバスバー露出面２Ｂが保護カバー１によって閉塞される状態で器具本体２に保護カバー１が例えば固定ねじなどの固定手段によって着脱可能に装着される。
【００１６】
また、本実施形態のねじの脱落防止装置は、複数のバスバー３ａ〜３ｄおよび複数の外部接続バスバー５ａ，５ｂ，５ｃ、５ｄ，５ｅ，５ｆ，５ｇ，５ｈ，５ｉ、５ｒ，５ｓ，５ｔなどのそれぞれの接続部が電極を兼ねるねじｓによって固定される電気機器で使用される。
【００１７】
本実施形態の電気機器では、電極を兼ねるねじｓによって固定されるバスバーの固定部７は、複数、本実施形態では１０のグループ（第１グループＧ１、第２グループＧ２、第３グループＧ３、第４グループＧ４、第５グループＧ５、第６グループＧ６、第７グループＧ７、第８グループＧ８、第９グループＧ９、第１０グループＧ１０）に分けられている。ここで、第１グループＧ１は、外部接続バスバー５ａ，５ｂ，５ｃ、５ｄ，５ｅ，５ｆ，５ｇ，５ｈ，５ｉをそれぞれ固定する９個のねじｓａ１〜ｓａ９を有する。また、第２グループＧ２は、外部接続バスバー５ｒ，５ｓ，５ｔをそれぞれ固定する３個のねじｓｂ１〜ｓｂ３を有する。同様に、第３グループＧ３は、バスバー３ａを固定する２個のねじｓｃ１、ｓｃ２を有する。第４グループＧ４は、第３バスバー３ｃを固定する２個のねじｓｄ１、ｓｄ２を有する。第５グループＧ５は、他のバスバーを固定する５個のねじｓｅ１〜ｓｅ５を有する。第６グループＧ６は、他のバスバーを固定する１３個のねじｓｆ１〜ｓｆ１３を有する。第７グループＧ７は、他のバスバーを固定する１個のねじｓｇ１を有する。第８グループＧ８は、他のバスバーを固定する１個のねじｓｈ１を有する。第９グループＧ９は、他のバスバーを固定する１個のねじｓｉ１を有する。第１０グループＧ１０は、他のバスバーを固定する１個のねじｓｊ１を有する。１０のグループＧ１〜Ｇ１０のそれぞれの構成ねじは、器具本体２に固定された状態で、バスバー露出面２Ｂに突出するねじ頭部の突出高さ（以下、ねじ高さと称する）が各グループＧ１〜Ｇ１０毎にそれぞれ同じ高さに合わせるように設定されている。
【００１８】
また、各グループＧ１〜Ｇ１０のねじ高さは、グループＧ１〜Ｇ１０毎に異なる。本実施形態では、第１グループＧ１の９個のねじｓａ１〜ｓａ９のねじ高さが最も高く、第２グループＧ２の３個のねじｓｂ１〜ｓｂ３のねじ高さが最も低くなる。グループＧ３〜Ｇ１０の各ねじは、同じねじ高さに設定されている。これらのねじ高さは、第１グループＧ１のねじ高さと第２グループＧ２のねじ高さとの間に設定されている。
【００１９】
保護カバー１は、図１に示すように表面側に平滑な平面が形成された矩形状の平板によって形成されている。この保護カバー１は、図２に示すように器具本体２のバスバー露出面２Ｂと対応する大きさに形成されている。
【００２０】
図１に示すように保護カバー１の裏面には、複数、本実施形態では１０個の突起部（第１突起部１０ａ〜第１０突起部１０ｊ）を設けている。本実施形態では、第１突起部１０ａ〜第１０突起部１０ｊは、器具本体２のバスバー露出面２Ｂに露出されるバスバーの固定部７の１０のグループ（第１グループＧ１〜第１０グループＧ１０）とそれぞれ対応する位置に配置されている。
【００２１】
図１、図４、図６に示すように保護カバー１の裏面には、保護カバー１の両側部間を結ぶ直線状の第１凸部１１と、保護カバー１の一端部に配置され、保護カバー１の両側部間を結ぶ直線状の第２凸部１２とが形成されている。
【００２２】
第１凸部１１は、保護カバー１からの突出高さが低い第１部分１１ａと、この第１部分１１ａよりも保護カバー１からの突出高さが高い第２部分１１ｂとを有する。第１部分１１ａは、第１グループＧ１の９個のねじｓａ１〜ｓａ９と対応する位置に配置されている。第２部分１１ｂは、第２グループＧ２の３個のねじｓｂ１〜ｓｂ３と対応する位置に配置されている。さらに、第１部分１１ａの突出端面１１ａ１は、一様な高さの平面を有する。この突出端面１１ａ１によって第１グループＧ１の９個のねじｓａ１〜ｓａ９の脱落防止用の当接部が形成されている。同様に、第２部分１１ｂの突出端面１１ｂ１は、一様な高さの平面を有する。この突出端面１１ｂ１によって第２グループＧ２の３個のねじｓｂ１〜ｓｂ３の脱落防止用の当接部が形成されている。そして、第１部分１１ａによって第１突起部１０ａ、第２部分１１ｂによって第２突起部１０ｂがそれぞれ形成されている。
【００２３】
さらに、第２凸部１２には、第２凸部１２の長手方向に沿って同じ大きさの４つの舌片状凸部（第１舌片状凸部１２ａ、第２舌片状凸部１２ｂ、第３舌片状凸部１２ｃ、第４舌片状凸部１２ｄ）が形成されている。第１舌片状凸部１２ａは、第７グループＧ７の１個のねじｓｇ１と対応する位置に配置されている。同様に、第２舌片状凸部１２ｂは、第８グループＧ８の１個のねじｓｈ１と対応する位置、第３舌片状凸部１２ｃは、第９グループＧ９の１個のねじｓｉ１と対応する位置、第４舌片状凸部１２ｄは、第１０グループＧ１０の１個のねじｓｊ１と対応する位置にそれぞれ配置されている。そして、第１舌片状凸部１２ａの突出端面１２ａ１によって第７グループＧ７の１個のねじｓｇ１の脱落防止用の当接部が形成されている。同様に、第２舌片状凸部１２ｂの突出端面１２ｂ１によって第８グループＧ８の１個のねじｓｈ１の脱落防止用の当接部、第３舌片状凸部１２ｃの突出端面１２ｃ１によって第９グループＧ９の１個のねじｓｉ１の脱落防止用の当接部、第４舌片状凸部１２ｄの突出端面１２ｄ１によって第１０グループＧ１０の１個のねじｓｊ１の脱落防止用の当接部がそれぞれ形成されている。そして、第１舌片状凸部１２ａによって第６突起部１０ｇ、第２舌片状凸部１２ｂによって第７突起部１０ｈ、第３舌片状凸部１２ｃによって第８突起部１０ｉ、第４舌片状凸部１２ｄによって第１０突起部１０ｊがそれぞれ形成されている。
【００２４】
また、第１凸部１１と、第２凸部１２との間には、保護カバー１の両側部間に大きさが異なるブロック状の４つのブロック体（第１ブロック体１３ａ、第２ブロック体１３ｂ、第３ブロック体１３ｃ、第４ブロック体１３ｄ）が突設されている。第１ブロック体１３ａは、第３グループＧ３の２個のねじｓｃ１、ｓｃ２と対応する位置に配置されている。第２ブロック体１３ｂは、第４グループＧ４の２個のねじｓｄ１、ｓｄ２と対応する位置に配置されている。第３ブロック体１３ｃは、第５グループＧ５の５個のねじｓｅ１〜ｓｅ５と対応する位置に配置されている。第４ブロック体１３ｄは、第６グループＧ６の１３個のねじｓｆ１〜ｓｆ１３と対応する位置に配置されている。
【００２５】
そして、第１ブロック体１３ａの突出端面１３ａ１によって第３グループＧ３の２個のねじｓｃ１、ｓｃ２の脱落防止用の当接部が形成されている。同様に、第２ブロック体１３ｂの突出端面１３ｂ１によって第４グループＧ４の２個のねじｓｄ１、ｓｄ２の脱落防止用の当接部、第３ブロック体１３ｃの突出端面１３ｃ１によって第５グループＧ５の５個のねじｓｅ１〜ｓｅ５の脱落防止用の当接部、第４ブロック体１３ｄの突出端面１３ｄ１によって第６グループＧ６の１３個のねじｓｆ１〜ｓｆ１３の脱落防止用の当接部がそれぞれ形成されている。そして、第１ブロック体１３ａによって第３突起部１０ｃ、第２ブロック体１３ｂによって第４突起部１０ｄ、第３ブロック体１３ｃによって第５突起部１０ｅ、第４ブロック体１３ｄによって第６突起部１０ｆがそれぞれ形成されている。
【００２６】
図６および図７に示すように保護カバー１の裏面には、保護カバー１自体の厚さのままの基準面（最も低い面）であるＺ面と、このＺ面より保護カバー１からの突出高さが１段高いＷ面と、このＷ面より保護カバー１からの突出高さが１段高いＹ面と、このＹ面より保護カバー１からの突出高さが１段高いＸ面と、このＸ面より保護カバー１からの突出高さが１段高いＶ面とが形成されている。そして、第１突起部１０ａは、Ｙ面、第２突起部１０ｂは、Ｖ面、第３突起部１０ｃ〜第１０突起部１０ｊは、Ｘ面にそれぞれ形成されている。
【００２７】
本実施形態の保護カバー１は、この保護カバー１が器具本体２に装着された状態で、第１突起部１０ａ〜第１０突起部１０ｊは、それぞれ対応するグループ（第１グループＧ１、第２グループＧ２、第３グループＧ３、第４グループＧ４、第５グループＧ５、第６グループＧ６、第７グループＧ７、第８グループＧ８、第９グループＧ９、第１０グループＧ１０）のねじによる固定部分に近接し、ねじが当接可能な位置に配置されている。そして、保護カバー１は、第１突起部１０ａ〜第１０突起部１０ｊとねじとの間の隙間Ｌをねじが固定部分から脱落することが不可能な寸法になるように第１突起部１０ａ〜第１０突起部１０ｊの高さ寸法がそれぞれ個別に設定されている。図８は、第６グループＧ６のねじｓｆ１２と、保護カバー１の第６突起部１０ｆとの間の隙間Ｌの位置関係の一例を示す。ここで、ねじｓｆ１２と、保護カバー１の第６突起部１０ｆとの間の隙間Ｌは、ねじｓｆ１２のねじ込み部分が緩み、バスバーの固定部７から抜け落ちる方向（図８中で上方向）に移動した場合にねじｓｆ１２の頭部が第６突起部１０ｆに当接し、それ以上の抜け落ちる方向の移動が規制される位置関係に設定されている。これにより、配線の形状が複雑でバスバーが立体的な構造に形成された場合であってもバスバーのねじによる固定部分がバスバーの固定部７から抜け落ちることを防止することができる。
【００２８】
そこで、上記構成の電気機器のねじの脱落防止装置にあっては次の効果を奏する。すなわち、本実施の形態の電気機器のねじの脱落防止装置では、保護カバー１におけるバスバーとの対向部分に突設された第１突起部１０ａ〜第１０突起部１０ｊを設けた。そして、第１突起部１０ａ〜第１０突起部１０ｊは、保護カバー１が器具本体２に装着された状態で、ねじｓによるバスバーの固定部７に近接し、ねじｓが当接可能な位置に配置されたねじｓの脱落防止用の当接部を有する。ここで、例えば、ねじｓｆ１２と、保護カバー１の第６突起部１０ｆとの間の隙間Ｌは、ねじｓｆ１２のねじ込み部分が緩み、バスバーの固定部７から抜け落ちる方向（図８中で上方向）に移動した場合にねじｓｆ１２の頭部が第６突起部１０ｆに当接し、それ以上の抜け落ちる方向の移動が規制される位置関係に設定されている。これにより、配線の形状が複雑でバスバーが立体的な構造に形成された場合であってもバスバーのねじによる固定部分がバスバーの固定部７から抜け落ちることを防止することができる。
【００２９】
このように本実施形態では、保護カバー１は、電気機器の器具本体２の実装部品及びバスバー配線の形状に合わせ、ねじｓと保護カバー１の第１突起部１０ａ〜第１０突起部１０ｊとの間の隙間Ｌをねじが脱落不可能な寸法となる位置関係に加工している。これにより、保護カバー１によってバスバーの電極部の絶縁とねじの脱落防止の機能を兼ねさせることができる。
【００３０】
本構造を採用することにより、ねじ封着剤を使用せずに脱落防止が可能であるため、接触不良要因の削除と確実なねじ脱落防止が可能であり、振動・衝撃への対策を考慮する上で製品品質の向上を図ることができる。
【００３１】
また、電気機器の器具本体２の実装部品と絶縁材料の保護カバー１との間の距離を極力小さく保つ構造であるため、部品実装スペースの削減が可能となり、装置の小型化への貢献が期待できる。
【００３２】
さらに、本実施形態では保護カバー１の第１突起部１０ａ〜第１０突起部１０ｊは、ねじｓの固定時のねじｓの高さがほぼ同じ高さになる複数のねじｓを同じグループに集めた状態で一緒に固定するブロック体を有する。そのため、複数のねじｓを個別に抜け止めする場合に比べてねじｓの抜け止め作業を簡素化することができる。
【００３３】
上記実施形態によれば、電気部品の接触不良を起こすおそれがなく、常時振動がかかる機材においても使用することができる電気機器のねじの脱落防止装置を提供することができる。
【００３４】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３５】
１…保護カバー、２…器具本体、２Ａ…電気回路ユニット、２Ｂ…バスバー露出面、３ａ〜３ｄ…バスバー、３ａ…第１バスバー、３ｂ…第２バスバー、３ｃ…第３バスバー、３ｄ…第４バスバー、４…バスバー中継端子、４ａ…第１のバスバー中継端子、４ａ１…第１の接続部、４ａ２…第２の接続部、４ａ３…第３の接続部、４ａ４…第４の接続部、４ｂ…第２のバスバー中継端子、４ｂ１…第１の接続部、４ｂ２…第２の接続部、４ｂ３…第３の接続部、４ｂ４…第４の接続部、４ｂ５…第５の接続部、４ｂ６…第６の接続部、４ｂ７…第７の接続部、４ｃ…第３のバスバー中継端子、４ｄ１…第１の接続部、４ｄ２…第２の接続部、４ｄ３…第３の接続部、４ｄ４…第４の接続部、４ｄ５…第５の接続部、５ａ…第１の外部接続バスバー、５ｂ…第２の外部接続バスバー、５ｃ…第３の外部接続バスバー、５ｄ…第４の外部接続バスバー、５ｅ…第５の外部接続バスバー、５ｆ…第６の外部接続バスバー、５ｇ…第７の外部接続バスバー、５ｈ…第８の外部接続バスバー、５ｉ…第９の外部接続バスバー、５ｒ…第１０の外部接続バスバー、５ｓ…第１１の外部接続バスバー、５ｔ…第１２の外部接続バスバー、７…固定部、１０ａ…第１突起部、１０ｂ…第２突起部、１０ｃ…第３突起部、１０ｄ…第４突起部、１０ｅ…第５突起部、１０ｆ…第６突起部、１０ｇ…第７突起部、１０ｈ…第８突起部、１０ｉ…第９突起部、１０ｊ…第１０突起部、１１…第１凸部、１１ａ…第１部分、１１ａ１…突出端面、１１ｂ…第２部分、１１ｂ１…突出端面、１２…第２凸部、１２ａ…第１舌片状凸部、１２ａ１…突出端面、１２ｂ…第２舌片状凸部、１２ｂ１…突出端面、１２ｃ…第３舌片状凸部、１２ｃ１…突出端面、１２ｄ…第４舌片状凸部、１２ｄ１…突出端面、１３ａ…第１ブロック体、１３ａ１…突出端面、１３ｂ…第２ブロック体、１３ｂ１…突出端面、１３ｃ…第３ブロック体、１３ｃ１…突出端面、１３ｄ…第４ブロック体、１３ｄ１…突出端面、Ｇ１…第１グループ、Ｇ２…第２グループ、Ｇ３…第３グループ、Ｇ４…第４グループ、Ｇ５…第５グループ、Ｇ６…第６グループ、Ｇ７…第７グループ、Ｇ８…第８グループ、Ｇ９…第９グループ、ｓａ１〜ｓａ９…ねじ、ｓｂ１〜ｓｂ３…ねじ、ｓｅ１〜ｓｅ５…ねじ、ｓｆ１〜ｓｆ１３…ねじ、ｓｇ１…ねじ、ｓｈ１…ねじ、ｓｉ１…ねじ、ｓｊ１…ねじ。
【図１】
2017110726.tif 000003
【図２】
2017110726.tif 000004
【図３】
2017110726.tif 000005
【図４】
2017110726.tif 000006
【図５】
2017110726.tif 000007
【図６】
2017110726.tif 000008
【図７】
2017110726.tif 000009
【図８】
2017110726.tif 000010